(57)【要約】途切れのない通信の転送。少なくとも１つの通信が第１装置及び第２装置の間で確立される。この少なくとも１つの通信は、少なくとも１つの通信を中断することなく、第１装置からの少なくとも１つの通信を切断することなく、第２装置から第３装置に転送される。【選択図】図１
2013516901.tif 000002
【特許請求の範囲】
【請求項１】
通信を途切れなく転送するためのコンピュータに実装された方法であって、前記方法は、
第１装置及び第２装置の間の少なくとも１つの通信を確立し、
前記少なくとも１つの通信を中断することなく、前記第１装置からの前記少なくとも１つの通信を切断することなく、前記少なくとも１つの通信を第２装置から第３装置に転送する、ことを備えるコンピュータに実装された方法。
【請求項２】
請求項１に記載のコンピュータに実装された方法であって、
前記第３装置は、前記第３装置の機能に関する情報を通信する、ことを特徴とするコンピュータに実装された方法。
【請求項３】
請求項２に記載のコンピュータに実装された方法であって、
前記第３装置の前記機能に基づいて前記少なくとも１つの通信のパラメータを調整する、ことを更に備える、ことを特徴とするコンピュータに実装された方法。
【請求項４】
請求項３に記載のコンピュータに実装された方法であって、
前記パラメータの前記調整は、拡張可能コーデックを前記少なくとも１つの通信のために使用し、前記少なくとも１つの通信の階層数を調整する、ことを特徴とするコンピュータに実装された方法。
【請求項５】
請求項３に記載のコンピュータに実装された方法であって、
前記パラメータの前記調整は、前記少なくとも１つの通信の符号化レートを調整する、ことを特徴とするコンピュータに実装された方法。
【請求項６】
請求項３に記載のコンピュータに実装された方法であって、
前記パラメータの前記調整は、前記少なくとも１つの通信の出力リゾリューションを調整する、ことを特徴とするコンピュータに実装された方法。
【請求項７】
請求項３に記載のコンピュータに実装された方法であって、
前記パラメータの前記調整は、前記少なくとも１つの通信ためのコーデックを変更する、ことを特徴とするコンピュータに実装された方法。
【請求項８】
請求項１に記載のコンピュータに実装された方法であって、
前記少なくとも１つの通信は、音声通信である、ことを特徴とするコンピュータに実装された方法。
【請求項９】
請求項１に記載のコンピュータに実装された方法であって、
前記少なくとも１つの通信は、動画通信である、ことを特徴とするコンピュータに実装された方法。
【請求項１０】
請求項１に記載のコンピュータに実装された方法であって、
前記第１装置は、コンピュータシステムと、携帯装置と、電話機とからなる装置のグループから選択された装置である、ことを特徴とするコンピュータに実装された方法。
【請求項１１】
請求項１に記載のコンピュータに実装された方法であって、
前記少なくとも１つの通信の前記確立は、第１装置、第２装置及び第４装置の間の通信を確立することを更に備える、ことを特徴とするコンピュータに実装された方法。
【請求項１２】
請求項１に記載のコンピュータに実装された方法であって、
前記少なくとも１つの通信の前記確立は、複数の通信である、ことを特徴とするコンピュータに実装された方法。
【請求項１３】
コンピュータシステムに通信を途切れなく転送するステップを実行させるための命令が一体化されて保持されるコンピュータ利用可能保存媒体であって、
第１装置及び第２装置の間の少なくとも１つの通信を確立し、
前記少なくとも１つの通信を中断することなく、前記第１装置からの前記少なくとも１つの通信を切断することなく、前記少なくとも１つの通信を第２装置から第３装置に転送する、ことを備えるコンピュータ利用可能保存媒体。
【請求項１４】
請求項１３に記載のコンピュータ利用可能保存媒体であって、
前記第３装置は、前記第３装置の機能に関する情報を通信する、ことを特徴とするコンピュータ利用可能保存媒体。
【請求項１５】
請求項１４に記載のコンピュータ利用可能保存媒体であって、
前記第３装置の前記機能に基づいて前記少なくとも１つの通信のパラメータを調整する、ことを更に備える、ことを特徴とするコンピュータ利用可能保存媒体。
【請求項１６】
請求項１５に記載のコンピュータ利用可能保存媒体であって、
前記パラメータの前記調整は、拡張可能コーデックを前記少なくとも１つの通信のために使用し、前記少なくとも１つの通信の階層数を調整する、ことを特徴とするコンピュータ利用可能保存媒体。
【請求項１７】
請求項１５に記載のコンピュータ利用可能保存媒体であって、
前記パラメータの前記調整は、前記少なくとも１つの通信の符号化レートを調整する、ことを特徴とするコンピュータ利用可能保存媒体。
【請求項１８】
請求項１５に記載のコンピュータ利用可能保存媒体であって、
前記パラメータの前記調整は、前記少なくとも１つの通信の出力リゾリューションを調整する、ことを特徴とするコンピュータ利用可能保存媒体。
【請求項１９】
請求項１５に記載のコンピュータ利用可能保存媒体であって、
前記パラメータの前記調整は、前記少なくとも１つの通信ためのコーデックを変更する、ことを特徴とするコンピュータ利用可能保存媒体。
【請求項２０】
請求項１３に記載のコンピュータ利用可能保存媒体であって、
前記少なくとも１つの通信は、音声通信である、ことを特徴とするコンピュータ利用可能保存媒体。
【請求項２１】
請求項１３に記載のコンピュータ利用可能保存媒体であって、
前記少なくとも１つの通信は、動画通信である、ことを特徴とするコンピュータ利用可能保存媒体。
【請求項２２】
請求項１３に記載のコンピュータ利用可能保存媒体であって、
前記第１装置は、コンピュータシステムと、携帯装置と、電話機とからなる装置のグループから選択された装置である、ことを特徴とするコンピュータ利用可能保存媒体。
【請求項２３】
請求項１３に記載のコンピュータ利用可能保存媒体であって、
前記少なくとも１つの通信の前記確立は、第１装置、第２装置及び第４装置の間の通信を確立することを更に備える、ことを特徴とするコンピュータ利用可能保存媒体。
【請求項２４】
請求項１３に記載のコンピュータ利用可能保存媒体であって、
前記少なくとも１つの通信の前記確立は、複数の通信である、ことを特徴とするコンピュータ利用可能保存媒体。
【請求項２５】
途切れなく通信を転送するためのシステムであって、
第１装置及び第２装置の間の少なくとも１つの通信を確立するように構成された接続モジュールと、
前記少なくとも１つの通信を中断することなく、前記第１装置からの前記少なくとも１つの通信を切断することなく、前記少なくとも１つの通信を第２装置から第３装置に転送するように構成された転送モジュールと、を備えるシステム。
【請求項２６】
請求項２５に記載のシステムであって、
前記第３装置の機能に関する情報を通信するように構成された情報モジュール、を更に備える、ことを特徴とするシステム。
【請求項２７】
請求項２６に記載のシステムであって、
前記第３装置の前記機能に基づいて前記少なくとも１つの通信のパラメータを調整するように構成されたパラメータ調整モジュールを更に備える、ことを特徴とするシステム。
【請求項２８】
通信を途切れなく転送するためのコンピュータに実装された方法であって、前記方法は、
第１チャネルを使用して第１装置において通信を受信し、
前記第１チャネルに利用可能な複数のチャネルを識別し、
前記第１チャネルから、基準に基づいて選択された第２チャネルに前記通信を転送する、ことを備えるコンピュータに実装された方法。
【請求項２９】
請求項２８に記載のコンピュータに実装された方法であって、
前記基準は、前記複数のチャネルの品質比較に基づいている、ことを特徴とするコンピュータに実装された方法。
【請求項３０】
請求項２８に記載のコンピュータに実装された方法であって、
前記基準は、前記複数のチャネルの費用に基づいている、ことを特徴とするコンピュータに実装された方法。
【請求項３１】
請求項２８に記載のコンピュータに実装された方法であって、
前記通信は、音声通信である、ことを特徴とするコンピュータに実装された方法。
【請求項３２】
請求項２８に記載のコンピュータに実装された方法であって、
前記通信は、動画通信である、ことを特徴とするコンピュータに実装された方法。
【請求項３３】
請求項２８に記載のコンピュータに実装された方法であって、
前記複数のチャネルの少なくとも一つは、イーサネットチャネルである、ことを特徴とするコンピュータに実装された方法。
【請求項３４】
請求項２８に記載のコンピュータに実装された方法であって、
前記複数のチャネルの少なくとも一つは、ＷｉＦｉチャネルである、ことを特徴とするコンピュータに実装された方法。
【請求項３５】
請求項２８に記載のコンピュータに実装された方法であって、
前記複数のチャネルの少なくとも一つは、ＷｉＭａｘチャネルである、ことを特徴とするコンピュータに実装された方法。
【請求項３６】
請求項２８に記載のコンピュータに実装された方法であって、
前記複数のチャネルの少なくとも一つは、携帯電話網チャネルである、ことを特徴とするコンピュータに実装された方法。
【請求項３７】
コンピュータシステムに通信を途切れなく転送するステップを実行させるための命令が一体化されて保持されるコンピュータ利用可能保存媒体であって、
第１チャネルを使用して第１装置において通信を受信し、
前記第１チャネルに利用可能な複数のチャネルを識別し、
前記第１チャネルから、基準に基づいて選択された第２チャネルに前記通信を転送する、ことを備えるコンピュータ利用可能保存媒体。
【請求項３８】
請求項３７に記載のコンピュータ利用可能保存媒体であって、
前記基準は、前記複数のチャネルの品質比較に基づいている、ことを特徴とするコンピュータ利用可能保存媒体。
【請求項３９】
請求項３７に記載のコンピュータ利用可能保存媒体であって、
前記基準は、前記複数のチャネルの費用に基づいている、ことを特徴とするコンピュータ利用可能保存媒体。
【請求項４０】
請求項３７に記載のコンピュータ利用可能保存媒体であって、
前記通信は、音声通信である、ことを特徴とするコンピュータ利用可能保存媒体。
【請求項４１】
請求項３７に記載のコンピュータ利用可能保存媒体であって、
前記通信は、動画通信である、ことを特徴とするコンピュータ利用可能保存媒体。
【請求項４２】
請求項３７に記載のコンピュータ利用可能保存媒体であって、
前記複数のチャネルの少なくとも一つは、イーサネットチャネルである、ことを特徴とするコンピュータ利用可能保存媒体。
【請求項４３】
請求項３７に記載のコンピュータ利用可能保存媒体であって、
前記複数のチャネルの少なくとも一つは、ＷｉＦｉチャネルである、ことを特徴とするコンピュータ利用可能保存媒体。
【請求項４４】
請求項３７に記載のコンピュータ利用可能保存媒体であって、
前記複数のチャネルの少なくとも一つは、ＷｉＭａｘチャネルである、ことを特徴とするコンピュータ利用可能保存媒体。
【請求項４５】
請求項１に記載のコンピュータに実装された方法であって、
前記少なくとも一つの通信の前記転送は、前記少なくとも一つの通信の音声部分を前記第３装置に転送し、前記少なくとも一つの通信の動画部分を第４装置に転送する、ことを更に備える、ことを特徴とするコンピュータに実装された方法。
【請求項４６】
請求項１３に記載のコンピュータ利用可能保存媒体であって、
前記少なくとも一つの通信の前記転送は、前記少なくとも一つの通信の音声部分を前記第３装置に転送し、前記少なくとも一つの通信の動画部分を第４装置に転送する、ことを更に備える、ことを特徴とするコンピュータに実装された方法。
【発明の詳細な説明】
【背景技術】
【０００１】
従来、通信の主要な形式は、公衆交換電話網（ＰＳＴＮ：Public Switched Telephone Network）を用いた電話通信であった。通信技術は、現在、通信に使用される、いくつかの異なる形式の装置を提供しており、１つの装置は、通信のために１チャネル以上を有しているかもしれない。例えば、ユーザは、通信ために使用できるパーソナルコンピュータ、手持ち携帯装置、電話機を含むいくつかの装置を利用することができる。加えて、携帯装置のような装置は、無線カード、携帯電話接続、ＷｉＭａｘ等のような通信のいくつかのチャネルを有していてもよい。これらの装置、及びこれらの装置により使用されるチャネルは、音声及び／又は動画、又は他の形式の通信を介して他の装置と通信することができる。
【図面の簡単な説明】
【０００２】
【図１】図１は、本技術の形態に従った通信を途切れることなく転送する例示的な環境のブロック図を示している。
【０００３】
【図１Ａ】図１Ａは、本技術の形態に従った通信を途切れることなく転送する例示的な環境のブロック図を示している。
【０００４】
【図２】図２は、本技術の形態に従った通信を途切れることなく転送する例示的な環境のブロック図を示している。
【０００５】
【図３】図３は、本技術の形態に従った通信を途切れることなく転送する例示的な方法のフローチャートを示している。
【０００６】
【図４】図４は、本技術の形態に従った通信を途切れることなく転送する例示的な方法のフローチャートを示している。
【０００７】
【図５】図５は、本技術の形態が実装された例示的なコンピュータシステムの図を示している。
【０００８】
形態の記述において参照される図面は、特に断らない限り、スケールの通りでないものとして理解されるべきであろう。
【発明を実施するための形態】
【０００９】
これから本技術の形態について詳細に説明される。本技術の形態の例は添付の図面で説明されている。本技術は様々な形態と組み合わせて述べられるが、当然のことながら、それらは本技術をこれらの形態に限定することを意図したものではない。一方で、本技術は、添付の請求の範囲で定義されるような様々な形態の精神と範囲に含まれる、変形、修正及び均等をカバーする意図である。
【００１０】
更に、本形態の以下の記述において、本発明の完全な理解のために、多くの具体的詳細について説明する。しかしながら、本技術は、これらの具体的詳細なしに実施されることができる。他の例においてよく知られた方法、手順、部品及び回路は、本形態の特徴をいたずらに不明瞭としないために、詳細に述べられていない。
【００１１】
以下の議論から明らかなように、別に特に述べられていなければ、「確立する」、「転送する」、「調整する」、「受信する」、「識別する」のような語を使用した議論は、コンピュータシステム又は同様の電子計算装置の動作及び処理で参照される。コンピュータシステム又は同様の、電話機又は手持ち携帯装置のような電子計算装置は、コンピュータシステムのレジスタ及びメモリ内の物理（電子）量として表されるデータを扱い、コンピュータシステムメモリ又はレジスタ、又は他の情報格納、送信又は表示機器内の物理量として同様に表される他のデータに変換する。本技術の形態は、例えば光学的及び機械的計算機のような他のコンピュータシステムの利用にもとても適している。
［議論の概要］
【００１２】
本技術の形態は、通信を途切れることなく転送するためのものである。単一のユーザは、同時にいくつかの通信装置を用いることができてもよい。通信装置は、限定しないが、リアルタイム音声及び／又は動画通信、テキストメッセージ、画像、データ、又は通信対象が電子通信機器を介して送受信される他のいずれの形式の電子通信も含む、いくつかの通信の形式をとることができる。通信装置は、接続を介して通信対象を送受信することのできる電子機器であると定義される。接続はインターネット接続であってもよく、イーサネット（登録商標）接続のような有線接続又は無線接続であってもよい。通信装置は、限定しないが、電話機、コンピュータシステム、ネットブック、ノートブック、テレビ、手持ち装置、携帯装置、スマートフォン、携帯電話、ＰＤＡ（personal digital assistants）、Ｋｉｎｄｌｅ（登録商標）無線読書装置、又はネットワークを介してデータを送受信するいずれの装置を含んでいてもよい。本技術は、ユーザに対し、ログインし、通信するいくつかの装置を使用し、コマンドで通信を装置間で途切れることなく転送することを許容する。例えば、ユーザはデスクトップパソコン及び手持ち携帯装置の両方にログインすることができる。ユーザはそのデスクトップパソコンで通信を開始し、通信の間にユーザは手持ち携帯装置に通信を途切れなく転送することができ、そして、通信セッションを継続したまま手持ち携帯装置を持って部屋を去ることができる。
【００１３】
本技術は、ユーザに、異なる装置において通信の異なる部分を受信させることもできる。例えば、ユーザは、テレビ又はコンピュータ画面で通信の動画部分を受信している間に、携帯電話でその通信の音声部分を受信することができる。その通信の間に、いずれかの部分についてやめたり、又は加えたりすることができる。同様に、通信を異なる部分に分割し、異なる装置にそれらを送る通信は、通信のいずれの部分も一の装置で拾われるひとつの装置に転送されることができる。
【００１４】
従来、ユーザは、公衆交換電話網（ＰＳＴＮ）を介して通信する電話を用いることに代る多くの通信を有していなかった。現在、ユーザは多くの代替を有することができる。加えて、ユーザは、通信に利用される一より多くの数の装置を所有できる。例えば、ユーザは、電話機、ＷｉＦｉ、電話及びＷｉＭａｘのようなチャネルを備えるスマートフォン、及びインターネットに接続され、ＶｏＩＰ（Voice over Internet Protocol）を介して通信する機能を有するパーソナルコンピュータシステムを所有することができる。異なる装置は、通信のための異なる能力、機能及びチャネルを有することができる。例えば、パーソナルコンピュータシステムは、大きな表示装置及び通信のための広い回線容量を有するが、スマートフォンは、小さな表示装置及び通信のための狭い回線容量を有する。
【００１５】
本技術の形態は、ユーザに、チャネルを介してある装置を用いた通信を開始し、通信を中断又はやめることなく他のチャネル又は他の装置に切替えることを許容する。ある形態では、本技術は、ユーザに、マルチメディア通信の異なる部分を加え又はやめることを許容することができる。ユーザは、音声のみを用いた通信を開始し、動画をその通信に加え、その後、動画をやめることができる。ある形態では、通信は、一つの装置がただ一つの他の装置と通信することを意味する１対１通信である。ある形態では、通信は、多数の装置が、ユーザに第１装置から第２装置へ通信を転送することを許容しながら、互いに同時に通信することを可能にするマルチパーティ通信であってもよい。
【００１６】
本技術の形態は、ユーザに、通信を、ある装置の一チャネルから同じ装置の他のチャネルに転送することを許容する。例えば、ユーザは、ＰＳＴＮチャネルを介してパーソナルコンピュータを用いて音声通信を実施することができる。音声通信の間、ユーザ又はコンピュータシステムは、コンピュータシステムにおけるＶｏＩＰチャネルに音声通信を転送することができる。そのような転送は、他のチャネルに対する一チャネルのコスト又は他のチャネルに対する一チャネルの比較品質のような基準に基づいて実施させる。ある形態では、あるチャネルは通信の音声部分のために使用され、他のチャネルは同じ通信の動画部分のために使用される。チャネルは通信の手段として定義される。当然のことながら、チャネルは、限定しないが、イーサネット、ＰＳＴＮ、３Ｇ又はＩＭＴ（International Mobile Telecommunications）−２０００、ＷｉＦｉ、ＷｉＭａｘ等であってもよい。
［通信の途切れることのない転送の形態］
【００１７】
図１で参照されるのは、通信を途切れることなく転送するための環境のブロック図である。環境１００及び１５０は、第１装置１０５、第２装置１１０、第３装置１１５、第４装置１２０、通信線１２５、１３０、１３５、１４０及び１４５を含んでいる。環境１００及び１５０は、本技術の異なる形態で用いられる又は用いられない構成要素を含み、環境１００及び１５０は、本技術を限定するものと解釈されるべきではない。
【００１８】
ある形態では、環境１００は、第１装置１０５、第２装置１１０、第３装置１１５及び第４装置１２０を含んでいる。ある形態では、第１装置１０５、第２装置１１０、第３装置１１５及び第４装置１２０は、通信の送受信に使用される通信装置である。当然のことながら、第１装置１０５、第２装置１１０、第３装置１１５及び第４装置１２０は、インターネットを含むネットワークに接続することのできる電子装置であってもよく、音声、動画、テキストメッセージ、画像等を含む通信の様々な形式を送受信することができてもよい。環境１００は、通信線１２５、１３０及び１３５により実現されるような、第１装置１０５、第２装置１１０及び第４装置１２０のそれぞれが、互いに同時通信となるマルチパーティ電話を示している。ある形態では、通信は、通信線１２５によって実現される１対１通信での第１装置１０５及び第２装置１１０のみを含んでいてもよい。
【００１９】
ある形態では、第１装置１０５、第２装置１１０及び第４装置１２０の通信中において、第２装置１１０における通信を第３装置１１５に転送することが望ましいかもしれない。通信が第３装置１１５に転送される形態において、ピックアップメッセージは、第３装置１１５に送信される。そして、ピックアップ動作は、通信を第３装置１１５に送り、第２装置１１０において通信をとめることにより進行する。当然のことながら、本技術の機能を有効にするために、それぞれの装置にクライアントアプリケーションをインストールすることができる。また、当然のことながら、クライアントアプリケーションは、ＰＳＴＮ上で動作する標準的な電話機にインストールされていなくてもよい。ある形態では、ＰＳＴＮ上の電話機に転送する際又はＰＳＴＮ上の電話機から転送する際は、ピックアップメッセージは、電話を鳴らすこととしてもよい。
【００２０】
環境１５０は、第３装置１１５に転送されている通信を示している。ある形態では、環境１００で第２装置１１０において通信を受信及び送信していた同じユーザは、環境１５０で第３装置１１５において通信を送信及び受信している同じユーザである。環境１５０は、第１装置１０５及び第４装置１２０が第３装置１１５と通信することを示すための通信線１４０及び１４５も示している。当然のことながら、第１装置１０５及び第３装置１１５の間の１対１電話においては、環境１５０は、第４装置１２０及び通信線１３０及び１４５を示さないであろう。
【００２１】
ここで図１Ａで参照されるのは、通信を途切れることなく転送するための環境のブロック図である。環境１６０は、第１装置１０５、第２装置１１０、第３装置１１５、第４装置１２０、ノード１５５、通信線１６５、１７０、１７５、１８０、コネクタモジュール１０２、転送モジュール１０４、情報モジュール１０６及びパラメータ調整モジュール１０８を示している。環境１６０は、本技術の異なる形態で用いられる又は用いられない構成要素を含み、環境１６０は、本技術を限定するものと解釈されるべきではない。
【００２２】
ある形態では、ノード１５５は、第１装置１０５、第２装置１１０、第３装置１１５及び第４装置１２０の間のすべての通信のための中心点として使用されるコンピュータシステムである。ある形態では、ノード１５５は、１対１通信又はマルチパーティ通信のいずれにおいてもすべての通信を管理し中継するために配置されたサーバーコンピュータシステムである。ある形態では、ノード１５５は、いくつもの装置間の通信を管理するために使用される複数の中心ノードを表している。当然のことながら、ノード１５５は、本技術が動作するために必要とされないが、いくつかの形態では存在していてもよい。ある形態では、ノード１５５は存在せず、通信に参加している環境１６０内の各々の装置が、ノード１５５の構成要素を備えるであろう。このように、環境１６０は、ピアツーピアコンピュータ環境と似た機能となっている。
【００２３】
ある形態では、ノード１５５は、各々の装置に通信に関する情報を提供する。そのような情報は、情報が転送される他の装置、その装置の機能、現在使用されている装置等を含むことができる。装置の機能は、装置の回線容量の限界、音声又は動画を表示するための機能、及び音声又は動画をキャプチャする機能を含んでいてもよい。ある形態では、ノード１５５は、この情報を提供する必要がなく、代りにこの情報は装置自身により、又はピアツーピアコンピュータ環境のような分散型システムにある他のコンピュータシステムにより、管理される。このような環境において、情報に付随する分散ハッシュテーブルは多数のピアコンピュータシステムにより維持される。
【００２４】
ある形態では、ノード１５５はコネクタモジュール１０２を備えている。ある形態では、コネクタモジュール１０２は、少なくとも２つの装置間で通信を確立するように構成されている。当然ながら、コネクタモジュール１０２は、第１装置１０５、第２装置１１０、第３装置１１５及び／又は第４装置１２０の一部であっても、第１装置１０５、第２装置１１０、第３装置１１５及び／又は第４装置１２０のに取付けられていてもよい。
【００２５】
ある形態では、ノード１５５は、転送モジュール１０４を備えている。ある形態では、転送モジュールは、第２装置１１０及び第３装置１１５の間の通信を転送するように構成されている。当然のことながら、転送モジュール１０４は、通信をやめたり中断することなしに、ある装置から他の装置へ通信を途切れることなく転送することができる。当然のことながら、転送モジュール１０４は、第１装置１０５、第２装置１１０、第３装置１１５及び／又は第４装置１２０の一部であっても、第１装置１０５、第２装置１１０、第３装置１１５及び／又は第４装置１２０に取付けられていてもよい。
【００２６】
ある形態では、環境１６０は、第３装置１１５に取付けられた、又は第３装置１１５の一部である情報モジュール１０６を備えている。ある形態では、情報モジュール１０６は、第３装置の機能に関する情報を通信するように構成されている。例えば、情報モジュール１０６は、通信において第３装置１１５が利用できる回線容量で、ノード１５５と通信することができる。ある形態では、環境１６０は、ノード１５５を備えず、情報モジュール１０６は、第１装置１０５のような他の装置に直接通信する。当然のことながら、第１装置１０５、第２装置１１０、第３装置１１５及び第４装置１２０のそれぞれは、情報モジュール１０６に似ている情報モジュールを備えていてもよい。
【００２７】
ある形態では、環境１６０は、パラメータ調整モジュール１０８を備える。ある形態では、パラメータ調整モジュールは、装置うち一の装置の機能に基づいて、少なくとも２つの装置間の通信のパラメータを調整するように構成されている。ノード１５５を備える形態では、ノード１５５は、通信のパラメータを決定し、情報モジュール１０６から受信された情報に基づいて、通信のパラメータを調整する。例えば、情報モジュール１０６は、第３装置１１５は通信に利用可能な狭い回線容量を有しているということを、ノード１５５に通信することができる。そして、ノード１５５は、通信に必要な回線容量を減らすように通信のパラメータを調整する。そして、調整パラメータは、通信に参加しているそれぞれの装置に通信される。ノード１５５を備えない形態では、それぞれの装置は、パラメータ調整モジュール１０８に似た構成要素を備えることができる。当然のことながら、通信のリゾリューション、品質及びコーデックは調整されることができる。
【００２８】
ある形態では、第１装置１０５及び第２装置１１０の間での、音声部分と動画部分とを備える通信が確立され、本技術は、通信を第２装置１１０から第３装置１１５へ転送する。この例では、第３装置１１５は、通信の動画部分を表示する機能を有さなくてもよい。ある形態では、通信の動画部分は通信から外され、音声部分は中断なく途切れなしに継続するであろう。ある形態では、通信の動画部分は、第４装置１２０に転送される。その形態では、通信の動画及び音声部分は、第１装置１０５から送受信されるが、音声部分のみが第３装置１１５で送受信され、通信の動画部分のみが第４装置１２０で送受信される。
【００２９】
図２で参照されるのは、通信を途切れることなく転送するための環境のブロック図である。環境２００は、第１装置２０５、第２装置２１０、第１チャネル２２０、第２チャネル２２５、第３チャネル２３０及び通信線２１５を含んでいる。環境２００及び２５０は、本技術の異なる形態で用いられる又は用いられない構成要素を含み、環境２００及び２５０は、本技術を限定するものと解釈されるべきではない。
【００３０】
ある形態では、第１装置２０５及び第２装置２１０は、上述したような通信の送受信に使用される通信装置である。第１チャネル２２０、第２チャネル２２５及び第３チャネル２３０は、第１装置２０５が通信を送受信するチャネルを示している。ある形態では、チャネルは、通信の複数の形式の接続性を有している。チャネルの例は、限らないが、ＷｉＦｉ、３Ｇ、ＷｉＭａｘ、イーサネット（登録商標）、ＶｏＩＰ、ＰＳＴＮ等を含む。あるチャネルは、インターネットプロトコル接続を介した送信のための通信圧縮のために、Ｓｐｅｅｘ又はＧ．７１１のような音声又は動画コーデックの使用を必要としてもよい。当然のことながら、通信は、同一チャネルを介した音声及び／又は動画ストリームを含んでいてもよい。ある形態では、音声と動画ストリームは、受信装置で再生するために結合されても、後に読み出して再生するために保存サーバに保存されてもよい。
【００３１】
環境２００は、３つの通信チャネルを有する第１装置２０５と第２装置２１０との通信を示し、通信線２１５は、第１チャネル２２０を介した通信を示している。本技術は、進行中の通信が、同じ装置のあるチャネルから他のチャネルに転送されることを許容する。環境２５０は、環境２００に示されたような第１チャネル２２０から第２チャネル２２５へ転送された後の通信線２１５を示している。ある形態では、あるチャネルから第２チャネルへの転送は、ユーザにより制御される。ある形態では、あるチャネルから第２チャネルへの転送は、サービスプロバイダにより制御される。ある形態では、あるチャネルから第２チャネルへの転送は、ユーザ及びサービスプロバイダにより制御される。
［動作］
【００３２】
図３は、本発明の一形態に従って、通信を途切れなく転送するための処理３００を説明するフローチャートである。ある形態では、処理３００は、コンピュータ使用可能な及びコンピュータ実行可能な命令の制御下で処理装置及び電子部品により実行されるコンピュータに実装された方法である。コンピュータ使用可能な及びコンピュータ実行可能な命令は、例えば、コンピュータ使用可能揮発性及び不揮発性メモリのようなデータ保存機能に存在する。しかしながら、コンピュータ使用可能な及びコンピュータ実行可能な命令は、どのような型のコンピュータ使用可能保存媒体であっても存在することができる。ある形態において、処理３００は、図１の第１装置１０５、第２装置１１０、第３装置１１５及び／又は第４装置１２０により実行される。ある形態において、方法は、実行された際にコンピュータシステムにその方法を実行させる命令が一体化されて保持されるコンピュータ使用可能保存媒体に存在してもよい。
【００３３】
３０２において、少なくとも一の通信が、第１装置及び第２装置との間で確立される。ある形態では、第１装置はＰＳＴＮ網上の電話機であり、第２装置はＶｏＩＰ使用するコンピュータシステムであり、通信は、音声電話であることとしてもよい。少なくとも一つの通信は、動画、テキストメッセージ、画像、電子データ等の形式の通信であってもよい。第１及び第２装置は、インターネットのようなネットワークを介しての通信を送受信することのできる電子装置であってもよい。
【００３４】
３０４において、少なくとも一通信は、その少なくとも一通信を中断させることなく、第１装置からの少なくとも一通信を切断することなく、第２装置から第３装置に転送される。ある形態では、第３装置は、携帯電話網を介して通信する手持ち携帯装置である。
【００３５】
３０６において、少なくとも一通信のパラメータは、第３装置の機能に基づいて調整される。例えば、動画コーデックのリゾリューションは、第２装置より低い回線容量である第３装置のために減らされる。
【００３６】
図４は、本発明の一形態に従って、通信を途切れなく転送するための処理４００を説明するフローチャートである。ある形態では、処理４００は、コンピュータ使用可能な及びコンピュータ実行可能な命令の制御下で処理装置及び電子部品により実行されるコンピュータに実装された方法である。コンピュータ使用可能な及びコンピュータ実行可能な命令は、例えば、コンピュータ使用可能揮発性及び不揮発性メモリのようなデータ保存機能に存在する。しかしながら、コンピュータ使用可能な及びコンピュータ実行可能な命令は、どのような型のコンピュータ使用可能保存媒体であっても存在することができる。ある形態において、処理４００は、図２の第１装置２０５により実行される。ある形態において、方法は、実行された際にコンピュータシステムにその方法を実行させる命令が一体化されて保持されるコンピュータ使用可能保存媒体に存在してもよい。
【００３７】
４０２において、通信は、第１装置において第１チャネルを用いて受信される。ある形態では、第１装置はコンピュータシステムであり、ＶｏＩＰを使用した音声通信であり、第１チャネルはインターネットへのイーサネット接続である。
【００３８】
４０４において、複数のチャネルは、第１装置にとっていずれが使用可能か識別される。例えば、コンピュータシステムは、イーサネット、ＷｉＦｉ、３Ｇ又はＰＳＴＮを使用したネットワーク接続する機能を有していてもよい。
【００３９】
４０６において、通信は、第１チャネルから、予め定められた基準に基づいて選択された第２チャネルへ転送される。ある形態では、第１チャネルはイーサネット接続であり、第２チャネルは３Ｇ接続である。ある形態では、基準は、複数のチャネルの品質比較に基づいている。例えば、アルゴリズムは、測定基準、測定された統計、又は２つの組合せ、を考慮して通話の品質の最適化のために使用される。ある形態では、基準は、複数のチャネルの費用に基づいている。例えば、アルゴリズムは、最適なチャネルを選択するためのユーザのプロファイルに基づいて選択されたチャネルの財政費用を最小化するために使用されてもよい。
【００４０】
ある形態では、選択されたチャネルの要求及び機能に合わせるため、通信の媒体は、符号化を調整することにより適合されてもよい。
［例示的コンピュータシステム環境］
【００４１】
図５を参照すると、例えば、コンピュータ利用可能媒体内に存在するコンピュータ読取可能及びコンピュータ実行可能命令により構成された通信経路を提供するための技術の一部が示されている。すなわち、図５は、本技術の形態を実装して利用されるコンピュータの型の一例を示している。
【００４２】
図５は、本技術の形態で使用される例示的コンピュータシステム５００を示している。当然のことながら、図５のシステム５００は例示のみであり、本技術は、一般目的のネットワーク化されたコンピュータシステム、組み込みコンピュータシステム、ルータ、スイッチ、サーバ装置、ユーザ装置、様々な中間装置／アーチファクト、スタンドアロンコンピュータシステム、携帯電話、ＰＤＡ（Personal Data Assistants）、テレビその他を含む多くの異なるコンピュータシステム上で又は内部で動作することができる。図５に示すように、図５のコンピュータシステム５００は、フロッピーディスク（登録商標）、コンパクトディスク及びこれらを組み合わせたようなもののような周辺コンピュータ読取可能媒体５０２を有するものによく適合している。
【００４３】
図５のシステム５００は、情報を通信するためのアドレス／データバス５０４と、情報と命令を処理するためのバス５０４と結合された処理装置５０６Ａとを含んでいる。図５に示されるように、システム５００は、複数の処理装置５０６Ａ，５０６Ｂ及び５０６Ｃが存在する複数処理装置の環境にもよく適している。反対に、システム５００は例えば処理装置５０６Ａのような単一の処理装置を有するものにもよく適している。処理装置５０６Ａ，５０６Ｂ及び５０６Ｃは、どんな様々な型のマイクロプロセッサであってもよい。システム５００は、処理装置５０６Ａ，５０６Ｂ及び５０６Ｃのための情報及び命令を保存するためのバス５０４と結合された、例えばＲＡＭ（Random Access Memory）であるコンピュータ使用可能揮発性メモリ５０８のようなデータ保存機能も含む。
【００４４】
システム５００は、また、処理装置５０６Ａ，５０６Ｂ及び５０６Ｃのための静的情報及び命令を保存するためのバス５０４と結合された、例えばＲＯＭ（Read Only Memory）であるコンピュータ使用可能不揮発性メモリを含む。また、システム５００に存在するのは、情報及び命令を保存するためのバス５０４と結合された（例えば、磁気又は光学ディスク及びディスクドライブである）データ保存ユニット５１２である。システム５００は、また、処理装置５０６Ａ、又は処理装置５０６Ａ，５０６Ｂ及び５０６Ｃと情報及び命令選択の通信を行うためのバス５０４に結合された英数字と機能キーを含む任意の英数字入力装置５１４を含む。システム５００はまた処理装置５０６Ａ、又は処理装置５０６Ａ，５０６Ｂ及び５０６Ｃとユーザ入力情報及び命令選択の通信を行うためのバス５０４に結合された任意のカーソル制御装置５１６を含む。本形態のシステム５００は、また、表示情報のためのバス５０４に結合された任意の表示装置５１８を含む。
【００４５】
図５をまた参照するが、図５の任意の表示装置５１８は、ユーザに認識可能なグラフィック画像及び英数字を作り出すためのＬＣＤ（Liquid Crystal Device）、ＣＲＴ（Cathode Ray Tube）、プラズマ表示装置その他の表示装置とすることができる。任意のカーソル制御装置５１６は、コンピュータユーザに、表示装置５１８の表示スクリーン上の視覚可能シンボル（カーソル）の動きを動的に示すことを許容する。カーソル制御装置５１６の多くの実装は、トラックボール、マウス、タッチパッド、ジョイスティック、又は与えられた方向又は移動の仕方の動きを示すことのできる英数字入力装置５１４の特殊キーを含み当業者によく知られている。代替的には、当然ながら、カーソルは、特殊キー及びキーシーケンスコマンドを用いて英数字入力装置５１４からの入力を介して移動及び／又は有効化される。
【００４６】
システム５００は、例えば音声コマンドのような他の手段により、カーソルを動かさせることにもよく適している。システム５００は、また、外部構成要素と組み合わされるシステム５００のためのＩ／Ｏデバイス５２０を含む。例えば、ある形態では、Ｉ／Ｏデバイス５２０は、システム５００と、限定しないがインターネットのような外部ネットワークとの間の有線又は無線の通信を可能にするモデムである。本技術のより詳細な議論は以下に述べられる。
【００４７】
図５をまた参照するが、システム５００の様々な他の構成要素が示されている。より詳しくは、存在する場合には、オペレーティングシステム５２２、アプリケーション５２４、モジュール５２６及びデータ５２８が典型的には一又はいくつかの、例えばＲＡＭ（Random Access Memory）であるコンピュータ使用可能揮発性メモリ５０８及びデータ保存ユニット５１２の組み合わせの内部に存在するものとして示されている。しかしながら、当然のことながら、いくつかの形態では、オペレーティングシステム５２２は、ネットワーク上やフラッシュドライブ上のような他の場所に保存されてもよく、更に、オペレーティングシステム５２２は、例えば、インターネットに接続されることにより離れた場所からアクセスされてもよい。ある形態では、本技術は、例えば、ＲＡＭ５０８内のメモリ区域及びデータ保存ユニット５１２内のメモリ領域内のアプリケーション５２４又はモジュール５２６として保存される。本技術は、上述のシステム５００の一つ又はそれ以上の要素に適用されることができる。
【００４８】
システム５００は、またシステム５００を他の電子装置及びコンピュータシステムと結合させるためのバスと結合された１又はそれ以上の信号生成受信装置５３０を含んでいる。本形態の信号生成受信装置５３０は、有線シリアルアダプタ、モデム、及びネットワークアダプタ、無線モデム及び無線ネットワークアダプタ、及び他のそのような通信技術を含んでいてもよい。信号生成受信装置５３０は、システム５００へ又はからの結合情報のための１又はそれ以上の通信インタフェース５３２と連携して作用してもよい。通信インタフェース５３２は、シリアルポート、パラレルポート、ＵＳＢ（Universal Serial Bus）、イーサネットポート、アンテナ又は他の入力／出力インタフェースを含んでいてもよい。通信インタフェース５３２は、物理的に、電気的に、光学的に又は無線で（例えば無線周波数を介して）システム５００を、携帯電話、ラジオ又はコンピュータシステムのような他の装置と結合する。
【００４９】
コンピューティングシステム５００は、適したコンピューティング環境のただの一つの例であり、本技術の使用又は機能の範囲に関してどのような限定もするものではない。コンピューティング環境５００は、例示的なコンピューティングシステム５００で説明された構成要素のどのような一つ又は組み合わせに関するどのような従属又は要件を有するものとしても解釈されない。
【００５０】
本技術は、コンピュータにより実行されるプログラムモジュールのようなコンピュータ実行可能命令の一般的コンテキストで記述されることができる。一般的に、プログラムモジュールは、ルーチン、プログラム、オブジェクト、コンポーネント、データ構造等であり、それらは特定のタスクを実行する、又は特定の抽象的データ形式を実装する。本技術は、タスクが、通信ネットワークを介して関連づけられたリモート処理装置により実行される分散型コンピューティング環境で実施されることもできる。分散型コンピューティング環境では、プログラムモジュールは、ローカルとメモリ保存装置を含むリモートコンピュータ保存媒体との両方に配置されていてもよい。
【００５１】
主題は、ある言語で構造的特徴及び／又は方法論的行為に特化して述べられたが、当然のことながら、添付の請求の範囲で定義された主題は、上述の特化された特徴又は行為に限られる必要はない。むしろ、上述の特化された特徴及び行為は、請求の範囲を実装する例示的形式として開示されている。ここで述べられたすべての要素、部品及びステップは、好ましくは含まれる。当然のことながら、これらの要素、部品及びステップのいずれも、当業者に明らかなように、他の要素、部品及びステップに置き換えられてもよいし、すべて削除されてもよい。
【００５２】
概して、この文書は、通信の途切れのない転送の方法を説明している。少なくとも１つの通信が第１装置及び第２装置の間で確立される。この少なくとも１つの通信は、少なくとも１つの通信を中断することなく、第１装置からの少なくとも１つの通信を切断することなく、第２装置から第３装置に転送される。
［コンセプト］
【００５３】
この文書は、少なくとも以下のコンセプトを開示した。
［コンセプト１］
通信を途切れなく転送するためのコンピュータに実装された方法であって、前記方法は、
第１装置及び第２装置の間の少なくとも１つの通信を確立し、
前記少なくとも１つの通信を中断することなく、前記第１装置からの前記少なくとも１つの通信を切断することなく、前記少なくとも１つの通信を第２装置から第３装置に転送する、ことを備えるコンピュータに実装された方法。
［コンセプト２］
請求項１に記載のコンピュータに実装された方法であって、
前記第３装置は、前記第３装置の機能に関する情報を通信する、ことを特徴とするコンピュータに実装された方法。
［コンセプト３］
請求項２に記載のコンピュータに実装された方法であって、
前記第３装置の前記機能に基づいて前記少なくとも１つの通信のパラメータを調整する、ことを更に備える、ことを特徴とするコンピュータに実装された方法。
［コンセプト４］
請求項３に記載のコンピュータに実装された方法であって、
前記パラメータの前記調整は、拡張可能コーデックを前記少なくとも１つの通信のために使用し、前記少なくとも１つの通信の階層数を調整する、ことを特徴とするコンピュータに実装された方法。
［コンセプト５］
請求項３に記載のコンピュータに実装された方法であって、
前記パラメータの前記調整は、前記少なくとも１つの通信の符号化レートを調整する、ことを特徴とするコンピュータに実装された方法。
［コンセプト６］
請求項３に記載のコンピュータに実装された方法であって、
前記パラメータの前記調整は、前記少なくとも１つの通信の出力リゾリューションを調整する、ことを特徴とするコンピュータに実装された方法。
［コンセプト７］
請求項３に記載のコンピュータに実装された方法であって、
前記パラメータの前記調整は、前記少なくとも１つの通信ためのコーデックを変更する、ことを特徴とするコンピュータに実装された方法。
［コンセプト８］
請求項１に記載のコンピュータに実装された方法であって、
前記少なくとも１つの通信は、音声通信である、ことを特徴とするコンピュータに実装された方法。
［コンセプト９］
請求項１に記載のコンピュータに実装された方法であって、
前記少なくとも１つの通信は、動画通信である、ことを特徴とするコンピュータに実装された方法。
［コンセプト１０］
請求項１に記載のコンピュータに実装された方法であって、
前記第１装置は、コンピュータシステムと、携帯装置と、電話機とからなる装置のグループから選択された装置である、ことを特徴とするコンピュータに実装された方法。
［コンセプト１１］
請求項１に記載のコンピュータに実装された方法であって、
前記少なくとも１つの通信の前記確立は、第１装置、第２装置及び第４装置の間の通信を確立することを更に備える、ことを特徴とするコンピュータに実装された方法。
［コンセプト１２］
請求項１に記載のコンピュータに実装された方法であって、
前記少なくとも１つの通信の前記確立は、複数の通信である、ことを特徴とするコンピュータに実装された方法。
［コンセプト１３］
コンピュータシステムに通信を途切れなく転送するステップを実行させるための命令が一体化されて保持されるコンピュータ利用可能保存媒体であって、
第１装置及び第２装置の間の少なくとも１つの通信を確立し、
前記少なくとも１つの通信を中断することなく、前記第１装置からの前記少なくとも１つの通信を切断することなく、前記少なくとも１つの通信を第２装置から第３装置に転送する、ことを備えるコンピュータ利用可能保存媒体。
［コンセプト１４］
請求項１３に記載のコンピュータ利用可能保存媒体であって、
前記第３装置は、前記第３装置の機能に関する情報を通信する、ことを特徴とするコンピュータ利用可能保存媒体。
［コンセプト１５］
請求項１４に記載のコンピュータ利用可能保存媒体であって、
前記第３装置の前記機能に基づいて前記少なくとも１つの通信のパラメータを調整する、ことを更に備える、ことを特徴とするコンピュータ利用可能保存媒体。
［コンセプト１６］
請求項１５に記載のコンピュータ利用可能保存媒体であって、
前記パラメータの前記調整は、拡張可能コーデックを前記少なくとも１つの通信のために使用し、前記少なくとも１つの通信の階層数を調整する、ことを特徴とするコンピュータ利用可能保存媒体。
［コンセプト１７］
請求項１５に記載のコンピュータ利用可能保存媒体であって、
前記パラメータの前記調整は、前記少なくとも１つの通信の符号化レートを調整する、ことを特徴とするコンピュータ利用可能保存媒体。
［コンセプト１８］
請求項１５に記載のコンピュータ利用可能保存媒体であって、
前記パラメータの前記調整は、前記少なくとも１つの通信の出力リゾリューションを調整する、ことを特徴とするコンピュータ利用可能保存媒体。
［コンセプト１９］
請求項１５に記載のコンピュータ利用可能保存媒体であって、
前記パラメータの前記調整は、前記少なくとも１つの通信ためのコーデックを変更する、ことを特徴とするコンピュータ利用可能保存媒体。
［コンセプト２０］
請求項１３に記載のコンピュータ利用可能保存媒体であって、
前記少なくとも１つの通信は、音声通信である、ことを特徴とするコンピュータ利用可能保存媒体。
［コンセプト２１］
請求項１３に記載のコンピュータ利用可能保存媒体であって、
前記少なくとも１つの通信は、動画通信である、ことを特徴とするコンピュータ利用可能保存媒体。
［コンセプト２２］
請求項１３に記載のコンピュータ利用可能保存媒体であって、
前記第１装置は、コンピュータシステムと、携帯装置と、電話機とからなる装置のグループから選択された装置である、ことを特徴とするコンピュータ利用可能保存媒体。
［コンセプト２３］
請求項１３に記載のコンピュータ利用可能保存媒体であって、
前記少なくとも１つの通信の前記確立は、第１装置、第２装置及び第４装置の間の通信を確立することを更に備える、ことを特徴とするコンピュータ利用可能保存媒体。
［コンセプト２４］
請求項１３に記載のコンピュータ利用可能保存媒体であって、
前記少なくとも１つの通信の前記確立は、複数の通信である、ことを特徴とするコンピュータ利用可能保存媒体。
［コンセプト２５］
途切れなく通信を転送するためのシステムであって、
第１装置及び第２装置の間の少なくとも１つの通信を確立するように構成された接続モジュールと、
前記少なくとも１つの通信を中断することなく、前記第１装置からの前記少なくとも１つの通信を切断することなく、前記少なくとも１つの通信を第２装置から第３装置に転送するように構成された転送モジュールと、を備えるシステム。
［コンセプト２６］
請求項２５に記載のシステムであって、
前記第３装置の機能に関する情報を通信するように構成された情報モジュール、を更に備える、ことを特徴とするシステム。
［コンセプト２７］
請求項２６に記載のシステムであって、
前記第３装置の前記機能に基づいて前記少なくとも１つの通信のパラメータを調整するように構成されたパラメータ調整モジュールを更に備える、ことを特徴とするシステム。
［コンセプト２８］
通信を途切れなく転送するためのコンピュータに実装された方法であって、前記方法は、
第１チャネルを使用して第１装置において通信を受信し、
前記第１チャネルに利用可能な複数のチャネルを識別し、
前記第１チャネルから、基準に基づいて選択された第２チャネルに前記通信を転送する、ことを備えるコンピュータに実装された方法。
［コンセプト２９］
請求項２８に記載のコンピュータに実装された方法であって、
前記基準は、前記複数のチャネルの品質比較に基づいている、ことを特徴とするコンピュータに実装された方法。
［コンセプト３０］
請求項２８に記載のコンピュータに実装された方法であって、
前記基準は、前記複数のチャネルの費用に基づいている、ことを特徴とするコンピュータに実装された方法。
［コンセプト３１］
請求項２８に記載のコンピュータに実装された方法であって、
前記通信は、音声通信である、ことを特徴とするコンピュータに実装された方法。
［コンセプト３２］
請求項２８に記載のコンピュータに実装された方法であって、
前記通信は、動画通信である、ことを特徴とするコンピュータに実装された方法。
［コンセプト３３］
請求項２８に記載のコンピュータに実装された方法であって、
前記複数のチャネルの少なくとも一つは、イーサネットチャネルである、ことを特徴とするコンピュータに実装された方法。
［コンセプト３４］
請求項２８に記載のコンピュータに実装された方法であって、
前記複数のチャネルの少なくとも一つは、ＷｉＦｉチャネルである、ことを特徴とするコンピュータに実装された方法。
［コンセプト３５］
請求項２８に記載のコンピュータに実装された方法であって、
前記複数のチャネルの少なくとも一つは、ＷｉＭａｘチャネルである、ことを特徴とするコンピュータに実装された方法。
［コンセプト３６］
請求項２８に記載のコンピュータに実装された方法であって、
前記複数のチャネルの少なくとも一つは、携帯電話網チャネルである、ことを特徴とするコンピュータに実装された方法。
［コンセプト３７］
コンピュータシステムに通信を途切れなく転送するステップを実行させるための命令が一体化されて保持されるコンピュータ利用可能保存媒体であって、
第１チャネルを使用して第１装置において通信を受信し、
前記第１チャネルに利用可能な複数のチャネルを識別し、
前記第１チャネルから、基準に基づいて選択された第２チャネルに前記通信を転送する、ことを備えるコンピュータ利用可能保存媒体。
［コンセプト３８］
請求項３７に記載のコンピュータ利用可能保存媒体であって、
前記基準は、前記複数のチャネルの品質比較に基づいている、ことを特徴とするコンピュータ利用可能保存媒体。
［コンセプト３９］
請求項３７に記載のコンピュータ利用可能保存媒体であって、
前記基準は、前記複数のチャネルの費用に基づいている、ことを特徴とするコンピュータ利用可能保存媒体。
［コンセプト４０］
請求項３７に記載のコンピュータ利用可能保存媒体であって、
前記通信は、音声通信である、ことを特徴とするコンピュータ利用可能保存媒体。
［コンセプト４１］
請求項３７に記載のコンピュータ利用可能保存媒体であって、
前記通信は、動画通信である、ことを特徴とするコンピュータ利用可能保存媒体。
［コンセプト４２］
請求項３７に記載のコンピュータ利用可能保存媒体であって、
前記複数のチャネルの少なくとも一つは、イーサネットチャネルである、ことを特徴とするコンピュータ利用可能保存媒体。
［コンセプト４３］
請求項３７に記載のコンピュータ利用可能保存媒体であって、
前記複数のチャネルの少なくとも一つは、ＷｉＦｉチャネルである、ことを特徴とするコンピュータ利用可能保存媒体。
［コンセプト４４］
請求項３７に記載のコンピュータ利用可能保存媒体であって、
前記複数のチャネルの少なくとも一つは、ＷｉＭａｘチャネルである、ことを特徴とするコンピュータ利用可能保存媒体。
［コンセプト４５］
請求項１に記載のコンピュータに実装された方法であって、
前記少なくとも一つの通信の前記転送は、前記少なくとも一つの通信の音声部分を前記第３装置に転送し、前記少なくとも一つの通信の動画部分を第４装置に転送する、ことを更に備える、ことを特徴とするコンピュータに実装された方法。
［コンセプト４６］
請求項１３に記載のコンピュータ利用可能保存媒体であって、
前記少なくとも一つの通信の前記転送は、前記少なくとも一つの通信の音声部分を前記第３装置に転送し、前記少なくとも一つの通信の動画部分を第４装置に転送する、ことを更に備える、ことを特徴とするコンピュータに実装された方法。
【図１】
2013516901.tif 000003
【図１Ａ】
2013516901.tif 000004
【図２】
2013516901.tif 000005
【図３】
2013516901.tif 000006
【図４】
2013516901.tif 000007
【図５】
2013516901.tif 000008
【国際調査報告】
2013516901.tif 000009
2013516901.tif 000010